(57)【要約】      （修正有）【課題】テレビを視聴するユーザの年齢に応じて、自動的に機能や操作画面を変更する。【解決手段】デジタルテレビを視聴するユーザを識別するユーザ識別部と、前記ユーザの年齢に対応する機能の設定情報をリストとして保持する年齢対機能リストと、前記ユーザ識別部で識別されたユーザの年齢を特定し、前記年齢対機能リストから特定された年齢に対応する機能の設定情報を取得するユーザ管理部とを備える。【選択図】図１
2011166333.tif 000002
【特許請求の範囲】
【請求項１】
デジタル放送を受信し表示するデジタルテレビであって、
前記デジタルテレビを視聴するユーザを識別するユーザ識別部と、
前記ユーザの年齢に対応する機能の設定情報をリストとして保持する年齢対機能リストと、
前記ユーザ識別部で識別されたユーザの年齢を特定し、前記年齢対機能リストから特定された年齢に対応する機能の設定情報を取得するユーザ管理部と、
前記ユーザの年齢に対応する機能を実行するための機能部と、
前記ユーザの年齢に対応する機能を操作するための操作画面を生成する操作画面生成部と、
前記ユーザ管理部で取得された機能の設定情報に基づいて、前記機能部に機能を実行させ、操作画面生成部に操作画面を生成させる制御部を備えることを特徴とするデジタルテレビ。
【請求項２】
デジタル放送を受信し表示するデジタルテレビであって、
前記デジタルテレビを視聴するユーザを識別するユーザ識別部と、
前記ユーザ識別部で識別されたユーザの年齢を特定するユーザ管理部と、
前記ユーザ管理部で特定されたユーザの年齢を外部のサーバに送信し、外部のサーバで生成された、特定されたユーザの年齢に対応する機能のプログラム情報を受信するインターフェイス部と、
前記ユーザの年齢に対応する機能を実行するための機能部と、
前記ユーザの年齢に対応する機能を操作するための操作画面を生成する操作画面生成部と、
前記インターフェイス部で受信された機能のプログラム情報に基づいて、前記機能部に機能を実行させ、操作画面生成部に操作画面を生成させる制御部を備えることを特徴とするデジタルテレビ。
【請求項３】
前記制御部は、前記操作画面生成部に前記ユーザに対し機能を実行することの了解を得るための画面を生成させ、前記ユーザが当該画面に基づき了解する操作を行った場合に、前記機能部に機能を実行させ、操作画面生成部に操作画面を生成させることを特徴とする請求項１または２に記載のデジタルテレビ。
【請求項４】
前記ユーザ識別部は、事前に登録された、時間帯ごとに利用するユーザに関する情報に基づいて、ユーザを識別することを特徴とする請求項１または２に記載のデジタルテレビ。
【請求項５】
前記ユーザ識別部は、カメラまたはセンサにより、ユーザを識別することを特徴とする請求項１または２に記載のデジタルテレビ。
【請求項６】
前記ユーザ管理部で特定されるユーザの年齢が若年層である場合に、前記制御部は、前記機能部にペアレンタルロック機能を実行させることを特徴とする請求項１または２に記載のデジタルテレビ。
【請求項７】
前記ユーザ管理部で特定されるユーザの年齢が高齢層である場合に、前記制御部は、前記機能部に画面及び音声の調整機能、字幕機能、または、文字サイズを拡大する機能を実行させることを特徴とする請求項１または２に記載のデジタルテレビ。
【請求項８】
ユーザが操作を行うための操作画面を有し、双方向通信が可能なリモートコントローラに対して前記操作画面生成部で生成される操作画面に関する情報を転送する転送部をさらに備えることを特徴とする請求項１または２に記載のデジタルテレビ。
【発明の詳細な説明】
【技術分野】
【０００１】
本発明は、ユーザを識別して、ユーザの年齢に応じて、機能や操作画面を変更するデジタルテレビに関する。
【背景技術】
【０００２】
２０１１年７月に実施される地上放送のデジタル化に向けて、一般家庭へのデジタルテレビの普及が進んでいる。デジタル放送では、ハイビジョンや５．１ｃｈに代表される高精細映像やマルチチャンネル音声が実現されるだけでなく、天気予報やニュース、放送番組の詳細情報などを閲覧するためのデータ放送などの機能も利用可能である。さらに、デジタルテレビ製造各社は他社差別化を推し進めるべく、画質改善や周辺機器のネットワーク化など、さまざまな機能を付加してその優位性をアピールしている。
【０００３】
図２は、従来のデジタルテレビの構成をブロック図で表したものである。１００はデジタルテレビ本体、１０１はデジタルテレビを操作するリモートコントローラ、１０２はリモートコントローラ１０１とのインターフェース、１０３はリモートコントローラ１０１から送信されたユーザ操作を受信するユーザ操作受信部、１０４は受信したユーザ操作を解析してテレビ機能を制御する機能制御部、１０６はメニュー画面などの操作画面を生成する操作画面生成部、１０８は画質調整や音声調整、データ放送などのさまざまなデジタルテレビの機能を行うためのテレビ機能部、１０９はテレビ機能部１０８から出力される字幕表示やデータ放送画面と操作画面生成部１０６が生成するメニュー画面などのＯＳＤ（Ｏｎ  Ｓｃｒｅｅｎ  Ｄｉｓｐｌａｙ）を合成するＯＳＤ合成部、１１０は映像やＯＳＤを出力する出力画面、１１１は音声を出力するスピーカである。ユーザは、リモートコントローラ１０１を用いて操作をデジタルテレビへ伝え、これを受信した機能制御部１０４がテレビ機能部１０８や操作画面生成部１０６を制御する。その結果、データ放送などのデジタル放送機能を画面へ表示したり、操作画面を表示してさまざまなデジタルテレビ機能の設定変更を行うことができる。
【０００４】
デジタルテレビには、デジタル放送によって実現される機能だけでなく、デジタルテレビ製造各社独自の機能も搭載され、その操作も複雑になってきている。
【０００５】
これらの機能については、全てのユーザにとって必要なものもあれば、一部のユーザしか使わないようなものもある。テレビにさまざまな不要機能を搭載することで価格が押し上げられてしまうことは、必要最小限の機能のみで十分なユーザにとって経済的な負担となりうる。この問題を解消するために特許文献１では、本当に必要な機能または新規に提供されるサービスに対応する機能などをユーザが自由に選択できる方法を提案している。
【先行技術文献】
【特許文献】
【０００６】
【特許文献１】特開２００８−３５５４１号公報
【発明の概要】
【発明が解決しようとする課題】
【０００７】
しかしながら、従来の機能や操作画面はもちろん、ユーザが必要な機能を選択できることを前提にしている上記特許文献１では、高齢層や若年層がそのような操作を不得手としていることを考慮していない。
【０００８】
一方、例えば、高齢者であるほど、画面を見やすく音声を聞きやすくするための調整機能、聞き取りにくい音声を字幕として表示するための字幕機能、メニュー画面やデータ放送などの文字サイズを拡大する機能が必要であり、若年者であるほど、性的、暴力的な放送番組の視聴を制限するためのペアレンタルロックが必要となる。
【０００９】
そこで、テレビを視聴するユーザの年齢に応じて、自動的に機能や操作画面が変更されることが望まれる。
【課題を解決するための手段】
【００１０】
上記課題を解決するために、本発明は、デジタル放送を受信し表示するデジタルテレビであって、前記デジタルテレビを視聴するユーザを識別するユーザ識別部と、前記ユーザの年齢に対応する機能の設定情報をリストとして保持する年齢対機能リストと、前記ユーザ識別部で識別されたユーザの年齢を特定し、前記年齢対機能リストから特定された年齢に対応する機能の設定情報を取得するユーザ管理部と、前記ユーザの年齢に対応する機能を実行するための機能部と、前記ユーザの年齢に対応する機能を操作するための操作画面を生成する操作画面生成部と、前記ユーザ管理部で取得された機能の設定情報に基づいて、前記機能部に機能を実行させ、操作画面生成部に操作画面を生成させる制御部を備える。
【００１１】
また、別の本発明は、デジタル放送を受信し表示するデジタルテレビであって、前記デジタルテレビを視聴するユーザを識別するユーザ識別部と、前記ユーザ識別部で識別されたユーザの年齢を特定するユーザ管理部と、前記ユーザ管理部で特定されたユーザの年齢を外部のサーバに送信し、外部のサーバで生成された、特定されたユーザの年齢に対応する機能のプログラム情報を受信するインターフェイス部と、前記ユーザの年齢に対応する機能を実行するための機能部と、前記ユーザの年齢に対応する機能を操作するための操作画面を生成する操作画面生成部と、前記インターフェイス部で受信された機能のプログラム情報に基づいて、前記機能部に機能を実行させ、操作画面生成部に操作画面を生成させる制御部を備える。
【発明の効果】
【００１２】
本発明によれば、テレビを視聴するユーザの年齢に応じて、自動的に機能や操作画面を変更することができる。
【図面の簡単な説明】
【００１３】
【図１】第一の実施形態におけるデジタルテレビの構成である。
【図２】従来のデジタルテレビの構成である。
【図３】家族内のテレビ視聴様式を事前に登録する画面である。
【図４】家族内のテレビ視聴様式を事前に登録する画面である。
【図５】第三の実施形態におけるデジタルテレビの構成である。
【図６】第三の実施形態におけるデジタルテレビとプログラムサーバ夫々の処理流れである。
【図７】第四の実施形態におけるデジタルテレビの構成である。
【発明を実施するための形態】
【００１４】
以下、本発明を実施するための形態を説明する。
【実施例１】
【００１５】
図１は、本発明におけるデジタルテレビの構成をブロック図で表したものである。
【００１６】
本実施形態では、予めユーザの年齢をデジタルテレビへ登録しておくことにより、デジタルテレビがユーザを認識して、このユーザの年齢に相応の機能やメニューなどの操作画面を動的に設定する。前述した図２と同一の要素については同じ符号を付記して説明を省略する。
【００１７】
１１２はデジタルテレビを使うユーザの各年齢に対しこのユーザが使うべき機能および設定値を記述する年齢対機能リスト、１１３はデジタルテレビを使うユーザの年齢を管理するユーザ管理部、１１４は現在デジタルテレビを使っているユーザを識別するユーザ識別部、１１５は現在時刻を保持している現在時刻保持部、１１６はユーザを映像として認識するデジタルテレビ内蔵カメラ、１１７はユーザの各年齢に対し好適な画面データを保持する画面データ保持部、１１８は機能制御部１０４の指示に従い画面データ保持部１１７を制御する画面データ制御部、１１９は画面データ保持部１１７から得られた画面データを操作画面生成部１０６へ転送する画面データ転送部である。
【００１８】
本実施形態では、最初にテレビを使っているユーザを識別する必要がある。この方法として、ここでは２つの例を挙げる。
【００１９】
第一は各時間帯におけるユーザを事前登録しておく方法である。これは、家族一人ひとりがテレビを使う時間帯はおおむね決まっている場合が多いという実態を利用している。例えば、主婦である母親は、毎朝06:00に起床しテレビの電源を入れる。いつもの番組の音声を聞きながら朝食の準備をし、08:30に家族を送り出した後、いつもの番組を観ながら少し休憩した後、09:00からはテレビをたまに観ながら洗濯や掃除をする。また会社員である父親は、毎朝07:00に起床し、すでに電源が入れられているテレビを観ながら朝食をとり、08:30に出勤のため家を後にする。毎日21:00ごろに帰宅し、いつものニュース番組を見ながら遅めの夕食をとる、などである。
【００２０】
図３および図４はこのような家族内のテレビ視聴状況を事前に登録する画面である。まず図３において、テレビを観る家族とその年齢を事前登録する。次いで図４では、各時間帯においてテレビを観る家族を指定する。事前にこのような情報をテレビへ設定しておくことで、各時間帯におけるユーザを特定することはおおむね可能である。
【００２１】
第二はデジタルテレビに内蔵されたカメラ、または超音波や赤外線などを用いたセンサによりユーザを識別する方法である。近年は映像の処理技術や認識技術が急速な進展を見せており、これらのカメラやセンサ類を利用することでデジタルテレビの前に座っているユーザを自動認識することは十分可能である。この方法の場合でも図３と同様な画面を用いて、テレビを観る家族とその年齢を事前登録する。このとき、内蔵カメラや各種センサを用いて各家族を識別するための事前登録も行う。
【００２２】
前述した第一の方法を用いる場合、ユーザ管理部１１３は現在時刻保持部１１５から現在の時刻を取得し、図３および図４において事前設定した各時間帯におけるユーザの情報を基に、現在のユーザおよびその年齢を特定する。
【００２３】
前述した第二の方法を用いる場合、ユーザ識別部１１４は内蔵カメラ１１６から得た映像情報を解析してユーザを識別し、その情報をユーザ管理部１１３へ送信する。ユーザ管理部１１３はこの情報を基に、現在のユーザおよびその年齢を特定する。
【００２４】
次いで、ユーザ管理部１１３は年齢対機能リスト１１２へアクセスし、このユーザが使うべき機能およびその設定値を取得する。具体的には、若年層が視聴する際には、その年齢に合わせてペアレンタルロックを自動的に設定する。また、高齢層が視聴する際には、その年齢に合わせてメニュー画面の文字を大きくしたり、見やすい色にしたり、字幕を自動表示したりする。取得した機能およびその設定値は、機能制御部１０４へ送られる。機能制御部１０４は、取得した機能およびその設定値をテレビ機能部１０８へ設定する。
【００２５】
また、機能制御部１０４は画面データ制御部１１８を制御して、取得した機能およびその設定値に対し変更される操作画面のデータを画面データ保持部１１７から取得し、画面データ転送部１１９へ送られる。画面データは画面データ転送部１１９によって操作画面生成部１０６へ転送され、ここで操作画面が生成される。生成された操作画面はＯＳＤ合成部１０９において字幕やデータ放送などのデジタル放送機能と合成され、ＯＳＤとして出力画面１１０から出力される。
【００２６】
本実施例によれば、予めユーザの年齢をデジタルテレビへ登録しておくことにより、デジタルテレビがユーザを認識して、このユーザの年齢に応じて相応の機能やメニューなどの操作画面を動的に設定することが可能になる。
【実施例２】
【００２７】
本実施例では、予めユーザの年齢をデジタルテレビへ登録しておくことにより、デジタルテレビがユーザを認識して、このユーザの年齢に相応の機能やメニューなどの操作画面を使用可能であることをユーザへ通知する。ユーザがこれらの機能や操作画面を使うことを許諾した場合は、これをデジタルテレビへ設定する。
【００２８】
引き続き、図１を用いて説明する。
【００２９】
まず、実施例１と同様の方法で、テレビを使っているユーザを識別し、ユーザ管理部１１３は、現在のユーザおよびその年齢を特定する。
【００３０】
次いで、ユーザ管理部１１３は年齢対機能リスト１１２へアクセスし、このユーザが使うべき機能およびその設定値を取得する。機能制御部１０４はユーザ管理部１１３から得たこの情報を基に、操作画面生成部１０６を制御して、ユーザへこれらの機能が使える旨を伝える画面を生成し、ＯＳＤ合成部１０９および出力画面１１０を介して表示する。ユーザはこの画面を見て、これを承諾する場合は画面上の「承諾」などのボタンを選択し押下すると、機能制御部１０４は当該機能およびその設定値をテレビ機能部１０８へ設定する。
【００３１】
また、機能制御部１０４は画面データ制御部１１８を制御して、取得した機能およびその設定値に対し変更される操作画面のデータを画面データ保持部１１７から取得し、画面データ転送部１１９へ送る。画面データは画面データ転送部１１９によって操作画面生成部１０６へ転送され、ここで操作画面が生成される。生成された操作画面はＯＳＤ合成部１０９において字幕やデータ放送などのデジタル放送機能と合成され、ＯＳＤとして出力画面１１０から出力される。
【００３２】
本実施例によれば、予めユーザの年齢をデジタルテレビへ登録しておくことにより、デジタルテレビがユーザを認識して、このユーザの年齢に相応の機能やメニューなどの操作画面を使用可能であることをユーザへ通知する。ユーザがこれらの機能や操作画面を使うことを許諾した場合は、これをデジタルテレビへ設定する。このようにして、ユーザの意思を反映して、このユーザの年齢に相応の機能やメニューなどの操作画面を設定することができる。
【実施例３】
【００３３】
図５は、本発明におけるデジタルテレビの構成をブロック図で表したものである。
【００３４】
本実施例では、予めユーザの年齢をデジタルテレビへ登録し、デジタルテレビがユーザを認識すると、このユーザの年齢に相応の機能やメニューなどの操作画面を実現するプログラムを外部ネットワークに接続されたプログラムサーバが生成する。前述した図１および図２と同一の要素については同じ符号を付記して説明を省略する。１２０は外部ネットワークとのインターフェース、１２１は外部ネットワーク、１２２はプログラムサーバ、１２３はデジタルテレビを使うユーザの各年齢に対しこのユーザが使うべき機能および設定値を記述する年齢対機能リスト、１２４はデジタルテレビへ適用可能な機能および操作画面のプログラムを生成するプログラム生成部である。
【００３５】
図６は、本実施形態におけるデジタルテレビとプログラムサーバ夫々の処理流れを示す。以後、図５、図６を用いて説明する。
【００３６】
まず、実施例１と同様の方法でテレビを使っているユーザを識別し（２００）、ユーザ管理部１１３は、現在のユーザおよびその年齢を特定する（２０１）。この情報を外部ネットワークインターフェース１２０から外部ネットワーク１２１を介してプログラムサーバ１２２へ送信する（２０２）。プログラムサーバ１２２は、受信したユーザ年齢情報と内部に具える年齢対機能リスト１２３から、このユーザが使うべき機能とその設定値を特定する（２０３）。プログラム生成部１２４は、特定された機能とその設定値を基にこれを実現するプログラムを生成する（２０４）。プログラムサーバ１２２は、生成されたプログラムをデジタルテレビへ送信する（２０５）。機能制御部１０４はこのプログラムを受信し、この中から機能に関するプログラムを抽出してテレビ機能部１０８へ設定する（２０６）。
【００３７】
また、機能制御部１０４は受信したプログラムの中から画面操作に関するプログラムを抽出する。抽出されたプログラムは画面データ制御部１１８を介して画面データ保持部１１７へ送られ、ここでプログラムから画面データへと変換され保持される。次いで画面データ保持部１１７は、この画面データを画面データ転送部１１９へ送る。画面データは画面データ転送部１１９によって操作画面生成部１０６へ転送され、ここで操作画面が生成される。（２０７）生成された操作画面はＯＳＤ合成部１０９において字幕やデータ放送などのデジタル放送機能と合成され、ＯＳＤとして出力画面１１０から出力される。
【００３８】
本実施例によれば、予めユーザの年齢をデジタルテレビへ登録し、デジタルテレビがユーザを認識することにより、このユーザの年齢に相応の機能やメニューなどの操作画面を実現するプログラムを外部ネットワークに接続されたプログラムサーバが生成する。これにより実施例１および２に比べて、デジタルテレビが有していない、より新しい機能や多彩な操作画面を提供することが可能となる。
【実施例４】
【００３９】
図７は、本発明におけるデジタルテレビの構成をブロック図で表したものである。
【００４０】
前述した図１、図２および図５と同一の要素については同じ符号を付記して説明を省略する。１２５は、双方向通信によるデジタルテレビ側からの指示に対する表示の書き換え、および、タッチパネル操作が可能な画面を持つリモートコントローラであり、１２６は、画面データ保持部１１７から得た画面データをリモートコントローラ１２５の表示形式に合うよう変換し、転送する画面データ転送部である。
【００４１】
前述した実施例１ないし３では、デジタルテレビにおいて、機能や操作画面の変更を行っていたが、本実施例では、デジタルテレビ側の機能や操作画面の変更に伴い、デジタルテレビ側の指示でリモートコントローラ側でも操作画面の表示の変更を行う。
【００４２】
機能制御部１０４の制御により、画面データ制御部１１８、画面データ保持部１１７、画面データ転送部１２６、操作画面生成部１０６が一連の処理を行い、ユーザの年齢に相応のメニューなどの操作画面が生成される。画面データ転送部はこの過程で、生成された操作画面の構成に沿ったリモートコントローラ１２５向けの画面へ変換し、インターフェース１０２を介してその画面情報をリモートコントローラ１２５へ転送する。
【００４３】
例えば、高齢層向けにデジタルテレビ側の操作画面の文字を大きく、見やすい色に変更した場合、リモートコントローラ１２５側もそのような画面に変更する。
【００４４】
本実施例によれば、デジタルテレビ側で、ユーザの年齢に相応な機能やメニューなどの操作画面へ変更する際に、リモートコントローラ側の表示画面もこれと同期して変更する。これにより、デジタルテレビ側とリモートコントローラ側の操作体系が統一され、ユーザの利便性が向上する。
【符号の説明】
【００４５】
１００・・・デジタルテレビ本体
１０１・・・リモートコントローラ
１０２・・・リモートコントローラ１０１とのインターフェース
１０３・・・ユーザ操作受信部
１０４・・・機能制御部
１０６・・・操作画面生成部
１０８・・・テレビ機能部
１０９・・・ＯＳＤ合成部
１１０・・・出力画面
１１１・・・スピーカ
１１２・・・年齢対機能リスト
１１３・・・ユーザ管理部
１１４・・・ユーザ識別部
１１５・・・現在時刻保持部
１１６・・・内蔵カメラ
１１７・・・画面データ保持部
１１８・・・画面データ制御部
１１９・・・画面データ転送部
１２０・・・外部ネットワークとのインターフェース
１２１・・・外部ネットワーク
１２２・・・プログラムサーバ
１２３・・・年齢対機能リスト
１２４・・・プログラム生成部
１２５・・・双方向リモートコントローラ
１２６・・・画面データ転送部
２００・・・ユーザ識別部１１４によるユーザの識別
２０１・・・ユーザ管理部１１３によるユーザ年齢の特定
２０２・・・機能制御部１０４によるユーザ年齢情報の送信
２０３・・・プログラムサーバ１２２による機能とその設定値の特定
２０４・・・プログラム生成部２０４によるプログラムの生成
２０５・・・プログラムサーバ１２２によるプログラムの送信
２０６・・・機能制御部１０４による機能プログラムのテレビ機能部への設定
２０７・・・機能制御部１０４他による操作画面の書き換え
【図１】
2011166333.tif 000003
【図２】
2011166333.tif 000004
【図３】
2011166333.tif 000005
【図４】
2011166333.tif 000006
【図５】
2011166333.tif 000007
【図６】
2011166333.tif 000008
【図７】
2011166333.tif 000009